(57)【特許請求の範囲】
【請求項１】
排泄口に面し得る表面側に配置された透液性とされるトップシートと、
裏面側に配置されたバックシートと、
トップシートとバックシートとの間に介在されて体液を吸収する吸収体と、
トップシートの側部に配置され且つ弾性部材を内蔵して起立可能として体液を堰き止めるギャザーと、
排血口部よりも臀部側に、ギャザーを挟んでトップシートの外側に延出するフラップ部と、
を有した吸収性物品であって、
前記フラップ部を有する前後方向範囲内に、ギャザーの一部をトップシート側に固定する固定部をギャザーに形成し、
固定部の近傍とされるフラップ部の箇所に、フラップ部の外縁を中心としてギャザー側を通るように円弧状のエンボスを形成したことを特徴とする吸収性物品。
【請求項２】
固定部がギャザーに複数形成され、フラップ部の固定部間の箇所にも円弧状のエンボスが形成されることを特徴とする請求項１に記載の吸収性物品。
【請求項３】
円弧状のエンボスが、高い圧力により形成される高圧搾部とこの高圧搾部より低い圧力により形成される低圧搾部とを有することを特徴とする請求項１又は請求項２に記載の吸収性物品。
【発明の詳細な説明】
【技術分野】
【０００１】
本発明は、ギャザーを部分的に固定する固定部に隣接するフラップ部に入るシワを低減し得る吸収性物品に関し、例えば生理用ナプキンや吸収パッド等に好適なものである。
【背景技術】
【０００２】
従来の生理用ナプキン等の吸収性物品には経血の漏れ出しを防ぐためにギャザーが装着者に面する形で設けられていた。また、生理用ナプキンの内の装着者が就寝中に使用する夜用ナプキンなどでは、多量の経血に対応する必要性や装着感の向上を図る必要性から、経血の漏れ出し防止及びフィット性が考慮されていた。
【０００３】
これに伴い、排血口部と臀部において別々にギャザーをフィットさせるために、立体的に伸縮可能な構造のギャザーの長手方向の中間部分に、伸縮を不可能としてトップシート側にギャザーを固定する為の固定部を有した仕様のものが最近存在している（例えば下記特許文献１）。
【０００４】
この一方、フラップ部における体液拡散を抑制することを目的とする吸収性物品として、下記特許文献２が知られている。この特許文献２では、フラップ部の少なくとも肌面側表面に液止凹部を形成した構造とされている。
【０００５】
他方、体液拡散を抑制し、かつ反対面に粘着剤層を確実に保持させることを目的とする吸収性物品として、下記特許文献３も知られている。この特許文献３では、フラップ部の肌面側表面にエンボスによる凹部を有し、且つその裏面に凹凸を実質的に有しないような構造とされている。
【先行技術文献】
【特許文献】
【０００６】
【特許文献１】特開2006-280580号公報
【特許文献２】特開2003-290277号公報
【特許文献３】特開2003-284741号公報
【発明の概要】
【発明が解決しようとする課題】
【０００７】
しかし、排血口部と臀部との間にトップシート側にギャザーを固定するための固定部を作った場合、ギャザーの固定部に引っ張られて、この固定部に隣接して位置するフラップ部に大きなシワが入り易くなるという欠点を有していた。つまり、フラップ部に大きなシワが入ると、単に外観が悪化するという観点だけでなく、フラップ部が装着者から部分的に離れてしまって、フラップ部の機能を十分に果たせないようになる。そして、特許文献２，３においても、フラップ部に入る大きなシワの対策は考慮されていなかった。
【０００８】
以上より、本発明の主たる課題は、ギャザーを部分的に固定する固定部を設けるのに伴って、固定部に隣接するフラップ部の箇所に入るシワを低減し得る吸収性物品を提供することにある。
【課題を解決するための手段】
【０００９】
請求項１に係る吸収性物品は、排泄口に面し得る表面側に配置された透液性とされるトップシートと、
裏面側に配置されたバックシートと、
トップシートとバックシートとの間に介在されて体液を吸収する吸収体と、
トップシートの側部に配置され且つ弾性部材を内蔵して起立可能として体液を堰き止めるギャザーと、
排血口部よりも臀部側に、ギャザーを挟んでトップシートの外側に延出するフラップ部と、
を有した吸収性物品であって、
前記フラップ部を有する前後方向範囲内に、ギャザーの一部をトップシート側に固定する固定部をギャザーに形成し、
固定部の近傍とされるフラップ部の箇所に、フラップ部の外縁を中心としてギャザー側を通るように円弧状のエンボスを形成したことを特徴とする。
【００１０】
請求項１に係る吸収性物品の作用を以下に説明する。
本請求項の吸収性物品によれば、排泄口に面し得る表面側に配置された透液性とされるトップシートと裏面側に配置されたバックシートとの間に吸収体が介在されて体液を吸収する構成とされている。また、弾性部材を内蔵して起立可能として体液を堰き止めるギャザーがトップシートの側部に配置され、このギャザーを挟んでトップシートの外側にフラップ部が位置している。
【００１１】
そして、本請求項では、ギャザーの一部をトップシート側に固定する固定部がギャザーに形成されているものの、円弧状のエンボスが固定部の近傍とされるフラップ部の箇所に形成されている。
【００１２】
従って、本請求項の吸収性物品によれば、ギャザーを固定するための固定部を設けた場合でも、この固定部の近傍とされるフラップ部の箇所に円弧状のエンボスが形成されている。このことから、ギャザーにフラップ部が引っ張られていても、円弧状のエンボスにより固定部に隣接した部分のフラップ部の剛性が高まることにより、固定部に隣接した部分のフラップ部の箇所に生じるシワを小さく分散させて、この部分に大きなシワが入り難くなる。この結果として、単に外観が悪化することがないだけでなく、フラップ部が装着者から部分的に離れてしまうこともなく、フラップ部の機能を十分に果たるようになる。
【００１３】
請求項２に係る吸収性物品の作用を以下に説明する。
本請求項に係る吸収性物品は請求項１の発明と同一の作用を奏する。但し、本請求項では、固定部がギャザーに複数形成され、フラップ部の固定部間の箇所にも円弧状のエンボスが形成されるという構成を有している。
【００１４】
つまり、本請求項によれば、固定部がギャザーに複数形成され、フラップ部の固定部間の箇所にも円弧状のエンボスが形成されることで、この部分のフラップ部の剛性も高まって、固定部間のフラップ部の部分に大きなシワが入ることも防げる。
【００１５】
請求項３に係る吸収性物品の作用を以下に説明する。
本請求項に係る吸収性物品は請求項１の発明と同一の作用を奏する。但し、本請求項では、円弧状のエンボスが、高い圧力により形成される高圧搾部とこの高圧搾部より低い圧力により形成される低圧搾部とを有するという構成を有している。
【００１６】
つまり、本請求項によれば、円弧状のエンボスに高圧搾部と低圧搾部とを存在させることにより、フラップ部の剛性がより一層高まるので、シワがより分散し易くなる。
【発明の効果】
【００１７】
以上のとおり本発明の吸収性物品によれば、ギャザーを部分的に固定する固定部を設けるのに伴って、固定部に隣接するフラップ部の箇所に入るシワを低減し得るという優れた効果を奏するようになる。
【図面の簡単な説明】
【００１８】
【図１】本発明に係る吸収性物品の一実施の形態を示す展開図であり、トップシート側から見た状態を示している。
【図２】図１のII−II矢視に対応する断面図である。
【図３】図１のIII−III矢視に対応する断面図である。
【図４】本発明に係る吸収性物品の一実施の形態の要部を示す斜視図である。
【図５】本発明に係る吸収性物品の一実施の形態における変形例を示す図であって、（Ａ）は第１変形例を示す図であり、（Ｂ）は第２変形例を示す図であり、（Ｃ）は第３変形例を示す図である。
【図６】比較例に係る吸収性物品の要部を示す図４と同様の斜視図である。
【発明を実施するための形態】
【００１９】
次に、本発明に係る吸収性物品の一実施の形態を、図１〜図５を参照しつつ説明する。なお、図中の方向に関する語句は、説明の便宜上用いたものに過ぎない。
図１〜図３に示すのは、本発明に係る吸収性物品の一実施の形態とされる生理用ナプキン１である。図中に示される生理用ナプキン１は、ポリエチレンシートなどからなる不透液性のバックシート２と、肌当接面３Ｆをなし、経血やおりものなどを速やかに透過させる透液性のトップシート３と、これら両シート２，３間に介装された綿状パルプまたは合成パルプなどからなる吸収体４，５と、吸収体４の略側縁部を起立基端とし、かつ少なくとも排血口部を含むように前後方向に所定の区間内において表面側に突出して設けられた左右一対の立体ギャザーＢＳ、ＢＳとから主に構成されている。
【００２０】
吸収体４の周囲の図１における上下端縁部では、バックシート２の外縁部とトップシート３の外縁部とが、ホットメルトなどの接着剤やヒートシール等の接着手段によって、接合されている。また、吸収体４の周囲の図１における両側縁部では、吸収体４よりも側方に延出しているバックシート２と、立体ギャザーＢＳを形成しているサイド不織布７とが、ホットメルトなどの接着剤やヒートシール等の接着手段によって接合されている。この接合により、これらバックシート２とサイド不織布７とによる積層シート部分によって側方に突出するウイング状フラップＷ、Ｗが形成されると共に、これよりも臀部側に位置する部分に第２ウイング状フラップＷＢ、ＷＢが形成されている。
【００２１】
バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２２】
バックシート２の非使用面側（外面）には、１条または複数条の粘着剤層（図示せず）が形成され、装着者への装着時に生理用ナプキン１を下着に固定するようになっている。バックシート２としては、プラスチックフィルムと不織布とを積層させたポリラミ不織布を用いてもよい。なお、バックシート２は、必ずしも不透液性である必要はなく、不透液性でないシートからバックシート２を形成する場合、バックシート２の裏面に、さらに不透液性のシートを積層することもできる。
【００２３】
吸収体４，５としては、経血等の体液を吸収・保持し得るものであれば良く、通常はフラッフ状パルプ中に吸水性ポリマー粉末を混入したものが吸収機能および価格の点から好適に使用される。但し、吸収体４，５として、例えばＰＥ／ＰＥＴ等の化繊を混合したものを用いても良い。また、これら吸収体４，５は形状及びポリマー粉末の保持等のために、クレープ紙等の包装シート４Ｌ，５Ｌによって囲繞するのが望ましい。尚、本実施の形態では、下層吸収体４の上側における幅方向中央部に沿って上層吸収体５が設けられているが、上層吸収体５及びその包装シート５Ｌを省略し、単一の吸収体４のみとする等、公知の吸収体構造を採用することもできる。
【００２４】
他方、装着者の排血口に面し得る表面側に配置されて透液性とされるトップシート３は、吸収体４の幅よりも若干幅が広い程度とされ、吸収体４を覆うだけに止まっている。このトップシート３としては、有孔または無孔の不織布や多孔性プラスチックシートなどが好適に用いられる。
【００２５】
不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。尚、トップシート３に多数の透孔を形成した場合には、経血やおりもの等が速やかに吸収されるようになり、ドライタッチ性に優れたものとなる。
【００２６】
トップシート３の幅方向外側は、トップシート３の両側部表面から延在するサイド不織布７（トップシート３とは別の部材）により覆われている。サイド不織布７の幅方向中央側の部分は、立体ギャザーＢＳを形成している。サイド不織布７としては、経血やおりもの等が浸透するのを防止する、あるいは肌触り感を高めるなどの目的に応じて、適宜の撥水処理または親水処理を施した不織布素材を用いることができる。
【００２７】
かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ2として作製された不織布を用いるのが望ましく、かつ体液の透過を確実に防止するためにシリコン系や、パラフィン系等の撥水剤などをコーティングした撥水処理不織布が好適に使用される。
【００２８】
サイド不織布７は、図２および図３に示されるように、幅方向中間部より外側部分を吸収体４の内側位置から吸収体側縁を若干越えてバックシート２の外縁までの範囲に亘ってホットメルトなどの接着剤によって、バックシート２と接着されている。これらサイド不織布７とバックシート２との積層シート部分により、ほぼ体液排出部に相当する吸収体側部位置に左右一対のウイングフラップＷ、Ｗを形成すると共に、これより臀部側位置に第２ウイング状フラップＷＢ、ＷＢを形成している。これらウイング状フラップＷ、Ｗおよび第２ウイング状フラップＷＢ、ＷＢの外面側には、それぞれ粘着剤層１２…，１３…が備えられ、ショーツに対する装着時に、ウイング状フラップＷ、Ｗが折返し線ＲＬ位置にて反対側に折り返し、ショーツのクロッチ部分に巻き付けて止着するようになっている。
【００２９】
一方、サイド不織布７の内方側部分は、ほぼ二重に折り返されて二重シートとされている。この二重シートの内部に、その高さ方向中間部に両端または長手方向の適宜の位置が固定された糸状弾性伸縮部材１９が配設されるとともに、糸状弾性伸縮部材１９の上側部位に複数本の、図示例では２本の糸状弾性伸縮部材２０，２０が両端または長手方向の適宜の位置が固定された状態で配設されている。この二重シート部分の前端部には、図３に示されるように、断面Ｚ状に折り畳んで積層された状態でトップシート３及び吸収体４側に接着される固定部２１が形成され、この二重シート部分の後端部にも、同じく断面Ｚ状に折り畳んで積層された状態でトップシート３及び吸収体４側に接着される固定部２１Ｂが形成されることによって、糸状弾性伸縮部材１９の配設部位を屈曲点として、断面くの字状に内側に開口を向けたポケットを形成しながら表面側に起立する立体ギャザーＢＳ、ＢＳが形成されている。
【００３０】
つまり、図１及び図４に示すように、糸ゴム製の弾性部材である糸状弾性伸縮部材１９，２０，２０を内蔵して起立可能とされるこれら立体ギャザーＢＳ、ＢＳが、トップシート３の側部に配置されて体液である経血を堰き止める為のギャザーとされていて、この立体ギャザーＢＳ、ＢＳの一部をトップシート３及び吸収体４側に図３と同様に固定する為の固定部２１Ａが、立体ギャザーＢＳ、ＢＳの臀部寄りの箇所に形成されている。
【００３１】
これら立体ギャザーＢＳ、ＢＳを挟んでトップシート３の外側に位置するフラップ部である前述の第２ウイング状フラップＷＢ、ＷＢの部分には、２つの固定部２１Ａ，２１Ｂから５〜１０ｍｍ離れた位置に存在する形で、円弧状に形作られた円弧状エンボス２２がそれぞれ形成されている。つまり、２つの固定部２１Ａ，２１Ｂの近傍とされる第２ウイング状フラップＷＢ、ＷＢの箇所に円弧状エンボス２２が設けられていることになる。この他、２つの固定部２１Ａ，２１Ｂ間の立体ギャザーＢＳ、ＢＳの中点部分とされる中点Ｃの付近にも、この中点Ｃから５〜１０ｍｍ離れた第２ウイング状フラップＷＢ、ＷＢの位置に存在する形で、円弧状に形作られた円弧状エンボス２２が形成されている。
【００３２】
他方、図１に示すように、左右一対のウイングフラップＷ、Ｗ及び左右一対の第２ウイング状フラップＷＢ、ＷＢ等の外周部分には、バックシート２とサイド不織布７、又はバックシート２とトップシート３との間の接着が外れないようにする為の外周エンボス２３が形成されているが、上記の各円弧状エンボス２２は、生理用ナプキン１の製造時においてこの外周エンボス２３を形成するのに伴って、一体的に形成される。
【００３３】
また、固定部２１Ａ，２１Ｂに隣接する各円弧状エンボス２２は、固定部２１Ａ，２１Ｂから第２ウイング状フラップＷＢの外縁に向かって、この外縁に対して垂直に伸びるような点Ｐ１を中心として、円弧状に形成されている。また、２つの固定部２１間の中点部分とされる中点Ｃに位置する円弧状エンボス２２も、中点Ｃから第２ウイング状フラップＷＢの外縁に向かって、この外縁に対して垂直に伸びるような点Ｐ２を中心として、立体ギャザーＢＳに対して５〜１０ｍｍ離れた位置に存在する形で円弧状に形成されている。そして、これら円弧状エンボス２２の半径は、１０〜３５ｍｍの範囲とするのが良いが、更に好ましくは、円弧状エンボス２２の半径を２０〜３０ｍｍの範囲とすることが良い。
【００３４】
他方、本生理用ナプキン１における下層吸収体４の使用面側には、幅方向中央部にナプキン長手方向に細長く、かつ周方向に閉じた環状のフィットエンボス８によって区画される領域に、周囲に対して使用面側に高く隆起する上層吸収体５による中高部が形成されている。フィットエンボス８は、図１に示されるように、装着者の排血口と対応する排血口部分である排血口部Ｚを囲むようにして設けられている。
【００３５】
この他、フィットエンボス８は、周方向に閉じた環状に設けられていなくても良いが、この場合、少なくとも排血口部Ｚの両側に、それぞれ前後方向に曲線状に延在するよう設けられる。フィットエンボス８が少なくとも排血口部Ｚの両側に前後方向に曲線状に延在するよう設けられていることによって、装着者の排血口に生理用ナプキン１がフィットするようになっている。フィットエンボス８は、トップシート３の表面から吸収体４内まで食い込むように形成されている。中高部の厚みは、厚くし過ぎると下層吸収体４の剛性が上がり装着者への密着性が低下するため３〜２０ｍｍ、好ましくは５〜１５ｍｍとするのが好ましい。
【００３６】
図１及び図２に示すように、トップシート３と吸収体４，５との間には、中間シート６が配されている。中間シート６は、吸収体４，５からの逆戻りの防止、クッション様効果により着用時の肌触りを柔らかくする効果も有する。
【００３７】
図示例の中間シート６は、筒状に折り畳まれて２層構造となっているが、折り畳まずに単層構造としても良い。中間シート６は、肌当接面の全体にわたり設けても、幅方向中央且つ前後方向中間部（特に股間部）にのみ設けてもよい。中間シート６の素材は液透過性を有するものであれば良いが、親水性を有するものが特に好適である。このような親水性の中間シート６を、トップシート３と組み合わせることにより、トップシート３の液透過性及び逆戻り防止性が顕著に向上する。
【００３８】
このような親水性素材としては、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等、もしくはその複合繊維、共重合体、ブレンド体といった合成繊維を親水化剤によって表面処理し親水性を付与した繊維を用いることができる。不織布を構成する繊維は、長繊維、短繊維、あるいはこれらの混合のいずれも使用できる。
【００３９】
中間シート６としては、エアスルー、エアレイド、スパンボンド等の既知の形態の不織布をいずれも使用できるが、通気性を低下させないエアスルーの使用が好ましい。また、耐久親水不織布の使用が、より好ましい。尚、中間シート６は、トップシート３の裏面に接するように配置され、トップシート３の裏面にホットメルト又は熱融着（エンボス）により接合するのが望ましい。
【００４０】
次に、本実施の形態に係る生理用ナプキン１の作用を説明する。
本実施の形態の生理用ナプキン１によれば、装着者の排泄口である排血口に面し得る表面側に配置された透液性とされるトップシート３と裏面側に配置されたバックシート２との間に、上下二層からなる吸収体４，５が介在されて体液である経血を吸収する構造とされている。
【００４１】
また、トップシート３の側部に配置される立体ギャザーＢＳ、ＢＳが、糸状弾性伸縮部材１９，２０，２０を内蔵して起立可能とされて経血を堰き止めるようになっていて、この立体ギャザーＢＳ、ＢＳを挟んでトップシート３の外側に第２ウイング状フラップＷＢ、ＷＢが位置している。
【００４２】
そして、本実施の形態では、立体ギャザーＢＳ、ＢＳの一部をトップシート３側に固定する為の固定部が立体ギャザーＢＳ、ＢＳに３つ存在するものの、この内の２つの固定部２１Ａ，２１Ｂから５〜１０ｍｍ離れた位置に存在する形で、円弧状に形作られた円弧状エンボス２２が、それぞれ第２ウイング状フラップＷＢ、ＷＢに形成されていると共に、これら２つの固定部２１Ａ，２１Ｂ間の第２ウイング状フラップＷＢ、ＷＢの部分にも円弧状に形作られた円弧状エンボス２２が形成されている。
【００４３】
従って、本実施の形態の生理用ナプキン１によれば、トップシート３及び吸収体４側に立体ギャザーＢＳ、ＢＳを固定するための固定部２１Ａ，２１Ｂを設けた場合でも、この固定部２１Ａ，２１Ｂから５〜１０ｍｍ離れた位置に存在する形とされる円弧状エンボス２２を第２ウイング状フラップＷＢ、ＷＢに形成した構造とされている。
【００４４】
このことから、立体ギャザーＢＳ、ＢＳの固定部２１Ａ，２１Ｂに第２ウイング状フラップＷＢ、ＷＢが引っ張られていても、円弧状エンボス２２により固定部２１Ａ，２１Ｂに隣接した部分の第２ウイング状フラップＷＢ、ＷＢの剛性が高まることにより、固定部２１Ａ，２１Ｂに隣接した部分の第２ウイング状フラップＷＢ、ＷＢに生じるシワを小さく分散させて、この部分に大きなシワが入り難くなる。
【００４５】
この結果として、単に外観が悪化することがないだけでなく、第２ウイング状フラップＷＢ、ＷＢが装着者から部分的に離れてしまうこともなく、第２ウイング状フラップＷＢ、ＷＢの機能を十分に果たせるようになる。
【００４６】
さらに、本実施の形態では、立体ギャザーＢＳ、ＢＳの後部寄りに固定部２１Ａ，２１Ｂが形成され、これら２つの固定部２１Ａ，２１Ｂ間の第２ウイング状フラップＷＢ、ＷＢの部分にも円弧状エンボス２２が形成されることで、この部分の第２ウイング状フラップＷＢ、ＷＢの剛性も高まって、固定部２１Ａ，２１Ｂ間の部分に大きなシワが入ることも防げる。
【００４７】
ここで、エンボスの形状としては種々考えられるが、本実施の形態において円弧状のエンボスとしたのは、固定部２１Ａ，２１Ｂに接する部分において固定部２１Ａ，２１Ｂからのシワが円弧状に形成するのに伴って分散し、更に第２ウイング状フラップＷＢ、ＷＢの端部寄りのエンボスの箇所で剛性が高まるためである。これに対して、図６に示すように、斜めに延びるような直線を交互に配置してギザギザに形成されたエンボス２４では、剛性が高くなるものの、固定部２１Ａ，２１Ｂに隣接するエンボスの頂点部分が角張っているため、この頂点部分からシワが発生する欠点を有している。
【００４８】
この一方、本実施の形態の変形例として図５に示すような各変形例の構造が考えられる。つまり、第１変形例としては、図５（Ａ）に示すように円弧状エンボス２２が形成されている。但し、本変形例では、全体的に低い圧力により形成された低圧搾部２２Ａとされているものの、小さな半円形状に高い圧力により形成された高圧搾部２２Ｂが等間隔で円弧状エンボス２２の内外周よりにそれぞれ存在している。
【００４９】
第２変形例としては、図５（Ｂ）に示すように円弧状エンボス２２が形成されている。但し、本変形例では、全体的に低い圧力により形成された低圧搾部２２Ａとされているものの、マス目を形成するような高い圧力により形成された線状の高圧搾部２２Ｂが存在している。
【００５０】
第３変形例としては、図５（Ｃ）に示すように円弧状エンボス２２が形成されている。但し、本変形例では、全体的に低い圧力により形成された低圧搾部２２Ａとされているものの、固定部２１Ａ，２１Ｂ等と隣接する部分を挟んだ等間隔の位置に、上側に向かって狭くなるような高い圧力により形成された線状の高圧搾部２２Ｂが存在している。
【００５１】
つまり、これら変形例では、円弧状エンボス２２が、高い圧力により形成される高圧搾部２２Ｂとこの高圧搾部２２Ｂより低い圧力により形成される低圧搾部２２Ａとを有していることに伴い、第２ウイング状フラップＷＢ、ＷＢの剛性がより一層高まる結果として、シワがより分散し易くなる。
【００５２】
尚、上記実施の形態では、固定部を２つとしたが、３つ以上の複数としても良い。この場合には、各固定部それぞれに対応して円弧状のエンボスを配置するだけでなく、各固定部間に対応してそれぞれ円弧状のエンボスを配置することが考えられる。但し、固定部間の円弧状のエンボスは無くとも良い。他方、円弧状のエンボスの変形例として、低圧搾部と高圧搾部とを有した上記のように３つの変形例が考えられるが、上記以外の他の変形例を採用しても良い。
【００５３】
また、上記実施の形態では、立体ギャザーＢＳ、ＢＳに存在する固定部２１Ａ，２１Ｂから５〜１０ｍｍ離れた位置に存在する形で、円弧状エンボス２２が形成されている。これは、立体ギャザーと接してエンボスを打つと、製造時に立体ギャザーに触れてしまう可能性が高くなり、もし立体ギャザーにエンボスを打ってしまった場合には、立体ギャザーが硬くなるおそれがある為である。他方、立体ギャザーから離れすぎた位置にエンボスを打つと、シワを分散させ難くなる為、上記の５〜１０ｍｍ離れた位置とした。
【産業上の利用可能性】
【００５４】
本発明に係る吸収性物品は、生理用ナプキンの他に吸収パッドとしても利用できるものである。
【符号の説明】
【００５５】
１・・・生理用ナプキン（吸収性物品）
２・・・バックシート
３・・・トップシート
４・・・下層吸収体
５・・・上層吸収体
１９，２０・・・糸状弾性伸縮部材（弾性部材）
２１Ａ，２１Ｂ・・・固定部
２２・・・円弧状エンボス（エンボス）
２２Ａ・・・低圧搾部
２２Ｂ・・・高圧搾部
ＢＳ・・・立体ギャザー（ギャザー）
ＷＢ・・・第２ウイング状フラップ（フラップ部）
【図１】
0005536407.tif 000002
【図２】
0005536407.tif 000003
【図３】
0005536407.tif 000004
【図４】
0005536407.tif 000005
【図５】
0005536407.tif 000006
【図６】
0005536407.tif 000007